(57)【特許請求の範囲】
【請求項１】
光源ランプを保持して上記光源ランプの軸線に対して垂直に配置されたランプホルダと、
上記ランプホルダを上記光源ランプの軸線に対して垂直な一方向にのみ移動自在に且つ回転自在に上記光源ランプの軸線から離れた位置でホルダ支持体と係合させる支点部と、
上記光源ランプの軸線と上記支点部とを結ぶ直線の上記支点部側の延長線上において上記ランプホルダを上記ホルダ支持体に対して移動及び固定可能な芯出し調整部とが設けられ、
上記支点部が、上記光源ランプの軸線に対して垂直の方向に上記ランプホルダと上記ホルダ支持体の一方に形成された長孔と、その長孔に係合するように他方に突設されたピンとを有していて、上記光源ランプの軸線と上記芯出し調整部との間の位置に配置されていることを特徴とする内視鏡用光源装置の芯出し調整装置。
【請求項２】
上記芯出し調整部が、上記ランプホルダと上記ホルダ支持体とを固定するための締めつけネジを有していて、その締めつけネジの頭部が、上記光源ランプの芯出し調整をするために動かされる摘み部になっている請求項１記載の内視鏡用光源装置の芯出し調整装置。
【請求項３】
上記ホルダ支持体が、光源装置の不動部材に対して上記光源ランプの軸線と平行方向に位置を調整自在である請求項１又は２記載の内視鏡用光源装置の芯出し調整装置。
【発明の詳細な説明】
【０００１】
【産業上の利用分野】
この発明は、内視鏡の照明用ライトガイドに照明光を供給するための内視鏡用光源装置の芯出し調整装置に関する。
【０００２】
【従来の技術】
一般に、ライトガイドの入射端面の面積は非常に狭いので、光源ランプから放射された照明光を正確な位置に収束させるためには、光源ランプを光源装置内に取り付ける際に芯出し調整を行う必要がある。
【０００３】
そのような芯出し調整を行うために、以前は、光源ランプを光源ランプの軸線方向（Ｚ方向）に垂直な上下方向（Ｙ方向）と左右方向（Ｘ方向）にそれぞれ別々に調整するための、二本の調整ネジが設けられていた。
【０００４】
しかし、それでは、上下方向の調整をすると左右方向に芯ずれが生じて左右方向の調整をやり直さなければならず、左右方向の調整をすると再び上下方向に芯ずれが生じるという繰り返しとなって、調整作業が容易でなかった。
【０００５】
そこで従来は、例えば実公平１−３８８１４号に示されるように、光源ランプを保持するランプホルダを例えば左右方向にスプリングで付勢して、その付勢力に抗して螺動する調整摘みの締めつけ量を加減することによって左右方向の芯出し調整を行い、調整摘み全体を上下に移動させることによって上下方向の芯出し調整を行うようにして、一つの調整摘みにより上下左右全方向の芯出し調整ができるようにしていた。
【０００６】
【発明が解決しようとする課題】
しかし、上述のように付勢用のスプリングを設けると、そのために調整機構が大型化してしまうのと同時に、調整摘みの締めつけ加減を調整する機構では、そのままにしておくと振動などによって調整摘みが緩んで、芯ずれが発生してしまうことがある。
【０００７】
そこで、そのような調整後の芯ずれが発生しないように調整状態を固定するためには、調整後に締めつける固定用のネジを別に設けなければならないので、機構が複雑化すると共に組み立て作業も二度手間になってしまう。
【０００８】
そこで本発明は、小型な機構でしかも簡単な作業で光源ランプの芯出し調整を行うことができる内視鏡用光源装置の芯出し調整装置を提供することを目的とする。
【０００９】
【課題を解決するための手段】
上記の目的を達成するため、本発明の内視鏡用光源装置の芯出し調整装置は、光源ランプを保持して上記光源ランプの軸線に対して垂直に配置されたランプホルダと、上記ランプホルダを上記光源ランプの軸線に対して垂直な一方向にのみ移動自在に且つ回転自在に上記光源ランプから離れた位置でホルダ支持体と係合させる支点部と、上記支点部から離れた位置において上記ランプホルダを上記ホルダ支持体に対して移動及び固定可能な芯出し調整部とを設けたことを特徴とする。
【００１０】
なお、上記支点部を、上記光源ランプの軸線に対して垂直に上記ランプホルダと上記ホルダ支持体の一方に形成された長孔と、その長孔に係合するように他方に突設されたピンとで形成して、上記光源ランプと上記芯出し調整部との間の位置に配置してもよい。
【００１１】
また、上記芯出し調整部が、上記ランプホルダと上記ホルダ支持体とを固定するための締めつけネジを有していて、その締めつけネジの頭部が、上記光源ランプの芯出し調整をするために動かされる摘み部になっていてもよい。
【００１２】
また、上記ホルダ支持体は、光源装置の不動部材に対して上記光源ランプの軸線と平行方向に位置を調整自在であるのがよい。
【００１３】
【実施例】
図面を参照して実施例を説明する。
図２は本発明の実施例の斜視図、図１は側面断面図、図３は背面図である。
【００１４】
図中、１は、図示されていない光源装置の筐体に対して不動にネジ止め固定されるベースであり、そのベース１に対して前壁板２と後壁板３が平行に立てて固定され、前壁板２と後壁板３の上端側には、天板４がベース１と平行に固定されている。
【００１５】
５は、キセノンランプを用いた光源ランプであり、その軸線６をベース１に対して平行に、ベース１と前壁板２と後壁板３と天板４とで囲まれる空間の中央付近に配置されている。
【００１６】
反射鏡７は、光源ランプ５の発光部８を内部に囲み込むように配置されて、その前端開口部が、前壁板２に大きく穿設された正面孔９部分に接合固着されている。
【００１７】
反射鏡７により反射された照明光は、図示されていない内視鏡の照明用ライトガイドの入射端面に収束するようになっているが、その正確な位置合わせ（芯出し調整）は、後述するように、光源ランプ５を微動させることによって行われる。
【００１８】
１１は、ベース１の上面側に形成された溝１２に沿って光源ランプ５の軸線６（以下、単に「軸線６」と言う）と平行方向（Ｚ方向）にのみ移動自在に配置されたホルダ支持体である。
【００１９】
ホルダ支持体１１はＬ字状に形成されていて、軸線６に対して垂直な方の面に、光源ランプ５を保持するランプホルダ１０が連結されている。また、ホルダ支持体１１の底面に下方から螺合する第１の調整固定摘み１３が、ベース１に穿設された孔１４内に充分な隙間をあけて通されている。
【００２０】
したがって、調整固定摘み１３を緩めた状態でホルダ支持体１１を溝１２に沿って移動させることにより、光源ランプ５を軸線６方向に移動させてＺ方向の芯出し調整を行うことができる。そして、そのまま調整固定摘み１３を締めつけることによって、ホルダ支持体１１がベース１に固定される。１５はワッシャである。
【００２１】
ランプホルダ１０は、軸線６と垂直でホルダ支持体１１の垂直面に連結される平面部１０ａと光源ランプ５の一方の電極を保持する筒状部１０ｂとが、導電性の材料によって一体的に形成されたものである。
【００２２】
ランプホルダ１０の筒状部１０ｂに嵌め込まれた光源ランプ５の電極からは雄ネジ１６が突出していて、その雄ネジ１６に外側からナット１７が締めつけられていて、それによって光源ランプ５がランプホルダ１０に固定されている。
【００２３】
給電線を接続するための給電線コネクタ１８，１９は天板４に設けられていて、光源ランプ５の先端側の電極に接続されたリード線２１が一方の給電線コネクタ１８に接続されている。
【００２４】
また、固定ネジ２２によってランプホルダ１０に接続されたリード線２３がもう一方の給電線コネクタ１９に接続されている。後壁板３には、雄ネジ１６や固定ネジ２２が後方に顔を出すように窓２０が穿設されている。
【００２５】
軸線６から離れた位置で軸線６と平行な方向にランプホルダ１０の平面部１０ａにねじ込み固定されたピン２５は、軸線６に対して垂直にホルダ支持体１１の垂直面に穿設された長孔２６内に通されている。
【００２６】
長孔２６は、幅はピン２５の直径に対して僅かなガタしかなく、長さはピン２５に対して充分に隙間があくように大きく形成されている。ドライバ類を係合させるための溝が形成されたピン２５の頭部２５ａは、ホルダ支持体１１を押さえつけないように形成されている。
【００２７】
したがってこの部分（支点部）においては、ランプホルダ１０は、ホルダ支持体１１に対してピン２５を中心に回転することができ、また軸線６と垂直な上下方向（Ｙ方向）に移動することができるが、左右方向（Ｘ方向）には移動することができない。
【００２８】
軸線６とピン２５の中心を結ぶ直線のピン２５側の延長線上には、ピン２５から軸線６までの距離とほぼ同じ距離の位置に、第２の調整固定摘み２８が配置されていて、その第２の調整固定摘み２８の先端の締めつけネジ部２８ａがホルダ支持体１１に螺合している。
【００２９】
第２の調整固定摘み２８の摘み部２８ｂは太く長く形成されていて、後壁板３の下部に穿設された調整窓３０から後方に突出している。第２の調整固定摘み２８の摘み部２８ｂの頭部には、ドライバ類を係合させるための溝が形成されている。
【００３０】
ホルダ支持体１１には第２の調整固定摘み２８を通すための丸孔２９が穿設されていて、図４に示されるように、第２の調整固定摘み２８のその部分の直径と丸孔２９の内径との間には充分な隙間がとられている。
【００３１】
したがって、第２の調整固定摘み２８を緩めておけば、丸孔２９の内側の範囲において第２の調整固定摘み２８を自由に移動させることができる。そのとき、図２及び図４に示されるように、第２の調整固定摘み２８を上下方向（Ｙ方向）に動かせば、それと共にランプホルダ１０が上下方向に動いて光源ランプ５がそれと同じ方向に同じ距離移動し、Ｙ方向の芯出し調整を行うことができる。
【００３２】
また第２の調整固定摘み２８は、支点部のピン２５を中心にする円周方向（Ｒ方向）に回動可能であり、このＲ方向はほぼ左右方向（Ｘ方向）と同じである。そして、光源ランプ５はピン２５を中心にして第２の調整固定摘み２８と反対方向に同じ距離移動するので、これによってＸ方向の芯出し調整を行うことができる。
【００３３】
このように、第２の調整固定摘み２８によってＹ方向とＸ方向の芯出し調整を同時に行うことができ、第２の調整固定摘み２８はＹ方向とＸ方向を複合した方向（斜め方向）にも自由に動かすことができるので、光源ランプ５の芯出し調整を非常に容易に行うことができる。
【００３４】
このようにしてＸ−Ｙ両方向の芯出し調整をした後、第２の調整固定摘み２８を外方から締めつければ、ホルダ支持体１１がランプホルダ１０とワッシャ３１との間に挟み込まれて、ランプホルダ１０がホルダ支持体１１に固定された状態になる。
【００３５】
なお、光源ランプ５を交換する必要がある場合には、ベース１を光源装置に取り付けているネジ（図示せず）を緩めることによって、図２に示されている装置全体を一つのユニットとして取り外し、そのユニット単体に対して光源ランプ５の脱着を行えばよい。
【００３６】
なお、本発明は上記実施例に限定されるものではなく、例えば、上記実施例とは逆に、長孔２６をランプホルダ１０に穿設してピン２５をホルダ支持体１１に取り付けてもよい。また、軸線６とピン２５と第２の調整固定摘み２８とは、必ずしも一直線上に配置しなくてもよい。
【００３７】
【発明の効果】
本発明によれば、芯出し調整部の位置を調整することによって、光源ランプの軸線に対して垂直な全方向に光源ランプの芯出し調整を容易に行うことができ、しかも調整が済んだ状態をそのまま芯出し調整部により固定することができるので、作業が非常に簡単であり、調整状態が狂うこともない。また、スプリング等を設ける必要もなくて、簡単な機構で小型に構成することができる。
【図面の簡単な説明】
【図１】実施例の側面断面図である。
【図２】実施例の斜視図である。
【図３】実施例の背面図である。
【図４】実施例のベースの背面断面図である。
【符号の説明】
５  光源ランプ
６  軸線
１０  ランプホルダ
１１  ホルダ支持体
２５  ピン
２６  長孔
２８  調整固定摘み
２９  丸孔
【図１】
0003590422.tif 000002
【図２】
0003590422.tif 000003
【図３】
0003590422.tif 000004
【図４】
0003590422.tif 000005